(57)【要約】      （修正有）【課題】高所作業等において、ねじやボルトの落下を防止するプレート状の落下防止具を提供する。【解決手段】可撓性及び弾性を有する合成樹脂製のプレート本体１Ａと、該プレート本体に穿設されて、ねじまたはボルトの軸径の長さ以下の直径に設定された第１掛止孔と、該第１掛止孔と前記プレート本体の端部とをつないで開口する第１掛止孔の直径より短い幅に設定された導入用切欠部４と、一端が定位置に保持される連結部材１９の他端に着脱可能に連結される第２掛止孔７とからなる。また、前記導入用切欠部を形成する一対の片４ａ，４ｂを捩って隙間を広げ、被保持部材の軸部１２を第１掛止孔に挿入又は取り外してなる。【選択図】図１
0003171756.tif 000002
【実用新案登録請求の範囲】
【請求項１】
可撓性及び弾性を有する合成樹脂製のプレート本体と、
該プレート本体に穿設されて、ねじまたはボルトからなる被保持部材の軸径の長さ以下の直径に設定された第１掛止孔と、
該第１掛止孔と前記プレート本体の端部とをつないで開口する第１掛止孔の直径より短い幅に設定された導入用切欠部と、
一端が定位置に保持される連結部材の他端に着脱可能に連結される第２掛止孔とからなっており、
前記導入用切欠部を形成する一対の片を捩って隙間を広げ、前記被保持部材の軸部を第１掛止孔に挿入し又は取り外してなることを特徴とする落下防止具。
【請求項２】
プレート本体が略矩形状からなっており、第１掛止孔と第２掛止孔が長手方向に延びる中心線に沿って上下に離間して並んでおり、
導入用切欠部が、プレート本体の長手方向の一方の側縁部から第１掛止孔に向かって延びていると共に、該導入用切欠部が、中途位置からプレート本体の側縁部に向かって徐々に円弧状に拡開するテーパ状の第１ガイド縁部と、中途位置から第１掛止孔に向かって徐々に円弧状に拡開するテーパ状の第２ガイド縁部とを有していることを特徴とする請求項１に記載の落下防止具。
【請求項３】
連結部材が、全部又は一部にコイル状の紐からなる伸縮部を有しており、先端に前記第２掛止孔に挿入して閉止し又は開放可能なフックを設けてなることを特徴とする請求項１に記載の落下防止具。
【考案の詳細な説明】
【技術分野】
【０００１】
本考案は、高所作業等において各種部材や機器の組付け、補修等に利用される取付用のねじやボルトの落下を防止するプレート状の落下防止具に関するものである。
【背景技術】
【０００２】
従来、ねじやボルト類の落下防止具として、例えば特開２００９−４１７４１号の落下防止具では、ボルトまたはナットを保持する保持部と、前記保持部に接続され該保持部を吊下しうる吊着部とを備え、前記保持部は、一端が開口した筒体を有し、ボルトまたはナットを該筒体で保持する構成が知られていた。
しかし、筒体とすることで嵩張ってしまい、またねじやボルトを締め付けた後は取りはずす必要があった。
また、弾性材料のリングを用いてボルトの頭部又はナットに連結して落下を防止する構造として特開平１０−１８４６５２号が開示されているが、同様の問題点があった。
【先行技術文献】
【特許文献】
【０００３】
【特許文献１】特開２００９−４１７４１号公報
【特許文献２】特開平１０−１８４６５２号公報
【考案の開示】
【考案が解決しようとする課題】
【０００４】
この考案の解決しようとする課題は、嵩張らずにねじやボルトを着脱可能に掛止めることができるプレート状の落下防止具を提供することにある。
【課題を解決するための手段】
【０００５】
本考案は、プレート本体の一方にねじ又はボルトの頭部に接する軸部を掛止めることができる第１掛止孔を設け、他方に該プレート本体に着脱可能なフックを掛止める第２掛止孔を形成しており、前記フックにはコイル状の紐などの伸縮部材が連結されていることを特徴とする。
請求項１の考案では、
可撓性及び弾性を有する合成樹脂製のプレート本体と、
該プレート本体に穿設されて、ねじまたはボルトからなる被保持部材の軸径の長さ以下の直径に設定された第１掛止孔と、
該第１掛止孔と前記プレート本体の端部とをつないで開口する第１掛止孔の直径より短い幅に設定された導入用切欠部と、
一端が定位置に保持される連結部材の他端に着脱可能に連結される第２掛止孔とからなっており、
前記導入用切欠部を形成する一対の片を捩って隙間を広げ、前記被保持部材の軸部を第１掛止孔に挿入し又は取り外してなることを特徴とする。
請求項２の考案では、
前記プレート本体が略矩形状からなっており、第１掛止孔と第２掛止孔が長手方向に延びる中心線に沿って上下に離間して並んでおり、
導入用切欠部が、プレート本体の長手方向の一方の側縁部から第１掛止孔に向かって延びていると共に、該導入用切欠部が、中途位置からプレート本体の側縁部に向かって徐々に円弧状に拡開するテーパ状の第１ガイド縁部と、中途位置から第１掛止孔に向かって徐々に円弧状に拡開するテーパ状の第２ガイド縁部とを有していることを特徴とする。
請求項３の考案では、
前記連結部材が、全部又は一部にコイル状の紐からなる伸縮部を有しており、先端に前記第２掛止孔に挿入して閉止し又は開放可能なフックを設けてなることを特徴とする。
【考案の効果】
【０００６】
本考案の落下防止具は、連結部材を第２掛止孔に係止し、第１掛止孔にはねじ又はボルトからなる被保持部材を掛止めておくので、高所作業等においてねじやボルトを保持することができるので、締付や取外しに際して、ねじやボルトが落下する虞れがない。
また、必要に応じて落下保持具をねじやボルトの頭部に接する軸部に掛け止めたまま締め付けてもよく、その場合は第２掛止孔からフックをはずせばよい。
【図面の簡単な説明】
【０００７】
【図１】落下防止具の使用状態を示す斜視図である。
【図２】実施例１の落下防止具の斜視図である。
【図３】実施例２の落下防止具の斜視図である。
【図４】落下防止具の使用状態を示す側面図である。
【考案を実施するための形態】
【０００８】
落下防止具がプレート状からなっており、第１掛止孔に導入用切欠部を介してねじまたはボルトの頭部に接した軸部を通して掛止め、第２掛止孔には着脱可能にフックを掛止めることで、それらの落下防止を実現できる。
【実施例１】
【０００９】
以下に、被保持部材の一例として六角ボルトを用いた場合の実施例について以下に説明する。
図１は、本考案の落下防止具１の使用状態を示すもので、落下防止具１は矩形の合成樹脂板からなるプレート本体、本実施例では透明なポリプロピレンのプレート本体１Ａを有している。
【００１０】
［プレート本体］
このプレート本体１Ａは四隅を所定の半径(図示例では５ｍｍ）で面取りした矩形状からなっており、長手方向の中心線に沿って、一方（図示例では下方）には、ボルト１０の頭部１１に接する軸部１２を掛止めることができる第１掛止孔２が穿設されており、これと離間した他方(図示例では上方）にはフックを掛止め可能な第２掛止孔７が穿設されている。
【００１１】
図２にはねじの呼び径がＭ１６の六角ボルトを保持する落下防止具１を横向きにした状態を示す。
このプレート本体１Ａは、縦６５ｍｍ、横３０ｍｍ、厚さ１ｍｍの透明な矩形板からなっており、長手方向に延びる中心線に沿って、長手方向の上下の端部からそれぞれ１５ｍｍ離間した位置に中心を有する第１掛止孔２と第２掛止孔７とを穿設している。
【００１２】
［第１掛止孔］
該第１掛止孔２は、直径１４ｍｍの孔本体３と、該孔本体３の中心に向かって短手方向となる左右側方の一方から延びる導入用切欠部４とを有している。
ここでＭ１６の六角ボルトは、軸径Ｒが１６ｍｍであるので、第１掛止孔２を反発力に抗して捻って変形させた状態で挿入され、第１掛止孔２の反発力で六角ボルトを係止している。
また、ボルト頭部の二面幅Ｓは２４ｍｍであるので、前記第１掛止孔２から抜け落ちることがない。
【００１３】
［導入用切欠部］
導入用切欠部４は、プレート本体１Ａの一方の側縁と第１掛止孔２とをつなぐ切欠であって、本実施例では曲線からなっている。
即ち、導入用切欠部４は、第１掛止孔２から側縁側に向かって拡開する湾曲したテーパ形状としており、そのため導入用切欠部４を挟んで対向する円弧状の隆起片４ａ、４ｂが形成されている。
【００１４】
該隆起片４ａ、４ｂは、図示例では５ｍｍの半径の円弧からなっている。
また、隆起片４ａ、４ｂ間の最も狭い幅は４ｍｍに設定されている。
このように導入用切欠部４はテーパ形状からなっているので、ボルト１０の軸部１２の挿入を容易にしている。
【００１５】
前記軸経が１６ｍｍの六角ボルト１０の軸部１２を第１掛止孔２に挿入するには前記導入用切欠部４の対向する一対の隆起片４ａ、４ｂの一方は表、他方は裏に指を当て、反発力に抗して相互に逆方向に捩って隙間を広げボルト１０の軸部１２を通し、同時に孔本体３も捻られて拡開するのでその内部に挿入するようになっている。
このようにして、六角ボルト１０は強固に第１掛止孔２に係止することができる。
【００１６】
［第２掛止孔］
第２掛止孔７は、円形孔からなっており、直径が１６ｍｍに設定されている。
従って、第２掛止孔７の外周縁からプレート本体１Ａの上端の短手辺および左右の長手辺との間隔がそれぞれ７ｍｍとなっている。
【００１７】
[連結部材]
この第２掛止孔７には、連結部材の一例として示す連結紐１９の先端に固定されたフック２０を掛止める。
連結紐１９は、糸、ゴム、プラスチックなどの適宜素材で可撓性を有するものであり、例えばその全部又は一部に伸縮可能な部分（コイル状の紐でもよい）を有するものが落下防止具１の作業の自由度が高まり好ましい。
【００１８】
[フック]
前記連結紐１９の先端に固定されるフック２０は、図示例の場合、スイベルタイプのナス環が用いられているが、この考案では特に限定されず、各種ナス環やカラビナ、その他の着脱可能な公知の掛止具を用いることができる。
フック２０は、掛止部２１と該掛止部２１を開閉する開閉部材２２とを有し、開いた際に掛止部２１を第２掛止孔７内に入り込ませ、開閉部材２２を閉じた際には掛止部２１は無端状となって第２掛止孔７と連結される開閉構造を有することが好ましい。
【００１９】
前記連結紐１９の基端を図示しない所定の固定個所に結ぶなどして固定しておくことで、六角ボルトが不意に落下しても、六角ボルトをを掛け止めた落下防止具１のプレート本体１Ａが連結紐により保持されるので、六角ボルトが落下する虞れがない。
あるいは連結紐１９の先端に図示しない固定具を設けておいて、前記固定個所に着脱可能に固定してもよい。
【００２０】
上記落下防止具１は、六角ボルトをネジ止めする際に使用する場合だけでなく、既に螺着されている六角ボルトを外す場合でも、図４に示すように、ボルト頭部１１と軸部１２の間にプレート本体１Ａを挿入し、導入用切欠部４を捩るだけのスペースがあれば六角ボルトを掛止めることができ、落下防止を図ることができる。
この考案の落下防止具の形状や寸法は上記実施例に限定されるものではなく、被保持部材を保持しうる大きさや形状であればよい。
【実施例２】
【００２１】
図３には、ねじの呼び径がＭ１２の六角ボルトに適用する落下防止具１を示す。
このプレート本体１Ａは、縦６５ｍｍ、横３０ｍｍ、厚み１ｍｍの矩形からなっており、長手方向に延びる中心線に沿って、長手方向の上下の端部からそれぞれ１５ｍｍ離間した位置に第１掛止孔２と第２掛止孔７とを穿設している。
【００２２】
該第１掛止孔２は、直径１０ｍｍの孔本体３と、該孔本体３の中心に向かって左右側方の一方から延びる導入用切欠部４とを有している。
ここでＭ１２は軸経が１２ｍｍであるので、第１掛止孔２を反発力に抗して捻って拡大変形した状態で挿入されるので、第１掛止孔２の弾性反発力で六角ボルトを係止する。
また、ボルト頭部の二面幅は１８ｍｍであるので、前記第１掛止孔２から抜け落ちることがない。
【００２３】
導入用切欠部４は、第１掛止孔２から側縁側に向かって拡開する湾曲したテーパ形状としており、そのため導入用切欠部４を挟んで対向する円弧状の隆起片４ａ、４ｂが形成されている。
該隆起片４ａ、４ｂは、図示例では５ｍｍの半径の円弧からなっており、隆起片４ａ、４ｂ間の最も狭い幅は３ｍｍに設定され、孔本体３とは曲線でつながれている。
【００２４】
このように導入用切欠部４はテーパ形状からなっているので、ボルト１０の軸部１２の挿入を容易にしている。
前記軸経が１２ｍｍのＭ１２の六角ボルト１０の軸部１２を第１掛止孔２に挿入するには、実施例１と同様に、前記導入用切欠部４の対向する一対の隆起片４ａ、４ｂを反発力に抗して相互に逆方向に捩って隙間を広げ、ボルト１０の軸部１２を通し、同時に孔本体３も捻られて拡開するのでその内部に挿入する。
このようにして、六角ボルト１０は強固に第１掛止孔２に係止することができる。
【００２５】
第２掛止孔７は、円形孔からなっており、実施例１と同様に直径が１６ｍｍに設定されている。
その他の構成や使用法は前記実施例１と同様であるので、実施例１の説明及び図１、図４を援用してその説明を省略する。
【００２６】
この考案の落下防止具１は、連結紐１９の先端に固定されたフック２０を第２掛止孔７に係止し、第１掛止孔２にはねじ又はボルトの頭部１１に接する軸部１２をプレート本体１Ａの反発力で掛止めておくので、ねじやボルトの締付けや取り外しに際してねじやボルトが落下することがない。
また、場合によっては、落下保持具をつけたまま緊締してもよく、その場合は第２掛止孔からフックをはずし、使用時に掛け止めればよい。
【００２７】
この考案では、ねじやボルトの一例を示したが、各種サイズのねじやボルトに適用することができること勿論である。
その他、要するにこの発明の要旨を変更しない範囲で種々設計変更しうること勿論である。
【符号の説明】
【００２８】
１    落下防止具
１Ａ  プレート本体
２    第１掛止孔
３    孔本体
４    導入用切欠部
４ａ、４ｂ  対向する片
５    ガイド縁部
７    第２掛止孔
１０    ボルト
１１    頭部
１２    軸部
１９    連結紐
２０    フック
２１    掛止部
２２    開閉部材
Ｒ      軸径
Ｓ      二面幅
【図１】
0003171756.tif 000003
【図２】
0003171756.tif 000004
【図３】
0003171756.tif 000005
【図４】
0003171756.tif 000006